(57)【要約】【課題】  膨大な量の汚染物の保管のため、広大な用地が無駄になっている。汚染水は今日も増加を続けており、保管容量は限界に近づいている。本願は、これらの問題を解消又は軽減することを目的とする。【解決手段】  山状に堆積させた汚染土と、前記汚染土を覆う被覆層を有する築山構築物と、前記前記築山構築物の上に配置した発電設備を有することを特徴とする廃棄物保管発電施設とした。【選択図】  図１
2020176862.tif 000002
【特許請求の範囲】
【請求項１】
山状に堆積させた汚染土と、前記汚染土を覆う被覆層を有する築山構築物と、前記前記築山構築物の上に配置した発電設備を有することを特徴とする廃棄物保管発電施設。
【請求項２】
前記築山構築物が階段状であり、
前記発電施設が太陽光発電及び／又は風力発電施設を含む、請求項１の廃棄物保管発電施設。
【請求項３】
前記築山構築物の地下に汚染水を貯留する貯水槽を有し、
前記発電設備は、前記貯水槽の汚染水を汲み上げて発電する揚水発電施設を含む、請求項１又は２の廃棄物保管発電施設。
【請求項４】
前記貯水槽は、複数の小槽に分割されている、請求項１〜３のいずれかの廃棄物保管発電施設。
【発明の詳細な説明】
【技術分野】
【０００１】
本発明は、廃棄物保管発電施設に関する。
【背景技術】
【０００２】
福島原発事故以降、汚染土（放射性の微粒子によって汚染された地域の表層土壌、瓦礫、汚泥又は焼却灰等。指定廃棄物を含む。）は、土嚢等として被災地や他の受入自治体等で保管されており、汚染水（一定基準値以上のトリチウム等を含む水）は、汚染水タンクで保管されている。
【先行技術文献】
【特許文献】
【０００３】
【特許文献１】特開２０１８−０６３２５６公報
【特許文献２】特開２０１０−０４８０１０号公報
【特許文献３】特開平１０−２５２１０８号公報
【特許文献４】特開平１１−２２２８８６号公報
【特許文献５】特開２００８−２８０７７５号公報
【特許文献６】特開２００７−３３２６９２号公報
【発明の概要】
【発明が解決しようとする課題】
【０００４】
膨大な量の汚染物の保管のため、広大な用地が無駄になっている。汚染水は今日も増加を続けており、保管容量は限界に近づいている。本願は、これらの問題を解消又は軽減することを目的とする。
【課題を解決するための手段】
【０００５】
本願には、山状に堆積させた汚染土と、前記汚染土を覆う被覆層を有する築山構築物と、前記前記築山構築物の上に配置した発電設備を有することを特徴とする廃棄物保管発電施設が開示される。
【図面の簡単な説明】
【０００６】
【図１】本願の一実施形態の廃棄物保管発電施設１である。
【図２】貯水槽Ｂを平面視で示す。
【図３】骨組構造３による補強の様子を示す。
【図４】骨組ブロック４を示す。
【図５】築山構築物２と貯水槽Ｂの全体に骨組ブロック４を設けた例を示す。
【発明を実施するための形態】
【０００７】
図１は、本願の一実施形態の廃棄物保管発電施設１である。廃棄物保管発電施設１は、山状に堆積させた汚染土Ａと、汚染土Ａを覆う被覆層Ｃ，Ｄからなる築山構築物２と、築山構築物２の上に配置した発電設備Ｇ，Ｈ，Ｊを有する。「築山構築物」は、山状の構造物をいう。
【０００８】
汚染土Ａは、放射能に汚染された土砂等である。土砂等は、表層土壌、瓦礫、汚泥、焼却灰、セメント、コンクリート、鋼材等であり、指定廃棄物を含む。
【０００９】
被覆層Ｃ，Ｄは、汚染土Ａを被覆する土砂等である。本例では、指定廃棄物Ｃと普通土Ｄの２層構造となっている。指定廃棄物Ｃは、例えば、汚染土砂等を除染した土砂等である。普通土は、汚染されていない土砂等である。普通土Ｄは、セメント等で舗装するとよい。
【００１０】
汚染土Ａ、被覆層Ｃ，Ｄの上は、遮断シートＥで被覆するとよい。遮断シートＥは、放射能を遮断する機能を有する材料や、放射能微粉末の飛散を防ぐ材料を使用できる。
【００１１】
築山構築物２は、階段状又はピラミッド状にするとよい。例えば、被覆層Ｃ，Ｄだけを階段状にしてもよく、汚染土Ａと被覆層Ｃ，Ｄの両方を階段状にしてもよい。
【００１２】
発電設備Ｇ，Ｈ，Ｊは、例えば、ソーラーパネルＧや風車（風力発電機）Ｈや風車（揚水発電機）Ｊとすることができる。図では、ソーラーパネルＧが各段の側壁に立て掛けられた（取り付けられた）例を示す。ソーラーパネルＧは、垂直に設置してもよく、斜めに設置してもよい。
【００１３】
付近に発電設備Ｇ，Ｈ，Ｊの管理や送電のための設備室Ｋを配置するとよい。通常の送電網を用いて送電できる。
【００１４】
築山構築物２の地下に汚染水を貯留する貯水槽Ｂを設けるとよい。貯水槽Ｂには、汚染水（放射能等で汚染された水、又は、一定基準値以上のトリチウム等を含む水）を貯水できる。貯水槽Ｂの外周や底を遮断シートＥで覆うと漏水を防止できる。
【００１５】
図２は、貯水槽Ｂを平面視で示す。貯水槽Ｂ（及び築山構築物２）は、図のように、矩形状とできる。他の形状も可能である。貯水槽Ｂのサイズは、例えば、数十〜百数十メートルとできる。築山構築物２の高さは、例えば、数十メートルとできる。
【００１６】
貯水槽Ｂは、仕切Ｌ１，Ｌ２によって、複数（例えば、３つ）の小槽ＩＡ，ＩＢ，ＩＣに分けるとよい。これにより、小槽ＩＡ，ＩＢ，ＩＣのいずれかが漏水しても他の漏水を防止できる。仕切Ｌ１，Ｌ２は、図２のように同心状に配置とするとよい。外側の仕切Ｌ２ほど内側の仕切Ｌ１と比べて、高さを高くするとよい。
【００１７】
貯水槽Ｂの汚染水を風車Ｊ１でタンクＢ１に汲み上げて落下するときの力で水車Ｆを回すことで、揚水発電を行うことができる。
【００１８】
築山構築物２及び／又は貯水槽Ｂは、図３のように、骨組構造３で補強するとよい。骨組構造３は、築山構築物２及び／又は貯水槽Ｂの全体に設けてもよいし、一部分（例えば、外周部分）にのみ設けてもよい。
【００１９】
骨組構造３は、例えば、図４のような骨組ブロック４を上下に又は上下左右に積み上げて、或いは、さらに相互に連結することで形成できる。築山構築物２に関しては、図３のように骨組構造３の隙間を土砂等（汚染土や除染土等）で埋めるとよい。骨組構造３を用いることにより、土砂等の沈み込みやピラミッド形状の変形・崩壊等を防止できる。
【００２０】
図４のような基部４ａと脚部４ｂを有する骨組ブロック４を使用すると、多量の土砂等を収容でき、また、土砂移動を効果的に防止できる。通常の工法で築山造成する場合のようなローラー転圧の作業が不要になる。コンクリートブロックに土砂等を詰めて積み上げる場合と比べて工費が格段に安くなる。骨組ブロック４は、プラスチック等で形成できる。図３のように、基部４ａが天板、床板の役割を果たすので、土砂の沈み込み防止効果が高い。骨組構造３が築山構築物２の荷重に充分耐えるよう、コンクリート等で形成された柱４ｃ（図３）で補強するとよい。柱４ｃは、各ブロック４の各脚部４ｂに収容すると、施工が容易になる等利点がある。骨組ブロック４は、特許文献２〜６等のブロックを使用してもよい。
【００２１】
図５は、築山構築物２と貯水槽Ｂの全体に骨組ブロック４を設けた例を示す。作図の都合で貯水槽Ｂにおいて骨組ブロック４の密度が高いように見えるが、実際は、築山構築物２も同じである。
【００２２】
上記廃棄物保管発電施設１によれば、汚染土や汚染水を安全に保管でき、同時に発電ができるので土地の有効活用となる。ピラミッド形状であるため、ソーラーパネルＧや風車Ｈ，Ｊの密集配置が可能であり、風や太陽光を立体的に効率的に利用できる。
【００２３】
上記実施形態に記載した廃棄物保管施設やその要素の寸法、形状、配置、個数、材料等は例示であり、他の態様も可能である。本願における「Ａ、Ｂ、Ｃ及びＤ」等は、「Ａ及びＢ及びＣ及びＤ」等の省略形である。「Ａ及び／又はＢ」は、「Ａ、又は、Ｂ、又は、Ａ及びＢ」の省略形である。
【符号の説明】
【００２４】
１・・・廃棄物保管発電施設
２・・・築山構築物
Ａ・・・汚染土
Ｂ・・・貯水槽
Ｂ１・・・タンク
Ｃ，Ｄ・・・被覆層
Ｃ・・・指定廃棄物
Ｄ・・・普通土
Ｅ・・・遮断シート
Ｆ・・・水車
Ｇ，Ｈ，Ｊ・・・発電設備
Ｇ・・・ソーラーパネル
Ｈ・・・風力発電機
ＩＡ，ＩＢ，ＩＣ・・・小槽
Ｊ・・・揚水発電機
Ｊ１・・・風車
Ｋ・・・設備室
Ｌ１，Ｌ２・・・仕切３・・・骨組構造
４・・・骨組ブロック
４ａ・・・基部
４ｂ・・・脚部
【図１】
2020176862.tif 000003
【図２】
2020176862.tif 000004
【図３】
2020176862.tif 000005
【図４】
2020176862.tif 000006
【図５】
2020176862.tif 000007